(57)【特許請求の範囲】
【請求項１】
磁石に吸引され難い材料によって直方体又は立方体を形成し、その内部に設けた磁石の引力によって被磁着体に接着させて前記直方体又は立方体の表面を表示面として用いる磁着式立体表示器であって、
磁石に吸引され難い材料によって形成された球状体が前記直方体又は立方体の内部に回転自在に収容され、
前記磁石は、複数の前記磁着式立体表示器を隣り合わせて前記被磁着体に接着させた場合に隣り合う磁着式立体表示器同士が互いに反発又は磁着しないように、前記球状体の表面の一方側にのみ部分的に埋設されていることを特徴とする磁着式立体表示器。
【請求項２】
前記直方体又は立方体の内部に設けた磁石が一つであり、前記球状体は、前記磁石を該球状体の中心高さ位置に維持させるように埋設されたバランス錘を更に有し、該バランス錘が前記磁石によって引力を及ぼされない材料により形成されていることを特徴とする請求項１記載の磁着式立体表示器。
【請求項３】
前記バランス錘は、前記球状体表面の他方側であって前記球状体の中心点を中心として前記磁石と点対称の位置に埋設され且つ前記磁石と同等質量を有する第１バランス錘を含むことを特徴とする請求項２記載の磁着式立体表示器。
【請求項４】
前記バランス錘は、前記球状体の表面に埋設されている第２バランス錘を更に含むことを特徴とする請求項３に記載の磁着式立体表示器。
【発明の詳細な説明】
【０００１】
【発明の属する技術分野】
本発明は、ホワイトボード（鉄製）等に磁着させる磁着式立体表示器に関する。
【０００２】
【従来の技術】
従来、この種の表示器として、プラスチックで形成した直方体或いは立方体の中に直方体又は立方体の磁石を埋め込み、６面を表示面として用いるものが知られている（例えば、実開昭６３−１３７９０５号明細書等）。
【０００３】
【発明が解決しようとする課題】
しかしながら、上記従来のような磁着式立体表示器では、複数の表示器を横に並べて鉄製ホワイトボード等に磁着させる際に、隣り合う表示器が互いに反発しあったり或いは磁着しあったりするため、複数の表示器を密接して並べることができないという問題があった。
【０００４】
そこで、本発明は、上記問題を解決するために、複数の表示器が隣り合う場合に互いに反発又は磁着しない磁着式立体表示器を提供することを目的とする。
【０００５】
【課題を解決するための手段】
本発明の上記目的は、磁石に吸引され難い材料によって直方体又は立方体を形成し、その内部に設けた磁石の引力によって被磁着体に接着させて前記直方体又は立方体の表面を表示面として用いる磁着式立体表示器であって、磁石に吸引され難い材料によって形成された球状体が前記直方体又は立方体の内部に回転自在に収容され、前記磁石は、複数の前記磁着式立体表示器を隣り合わせて前記被磁着体に接着させた場合に隣り合う磁着式立体表示器同士が互いに反発又は磁着しないように、前記球状体の表面の一方側にのみ部分的に埋設されていることを特徴とする磁着式立体表示器によって達成される。
【０００６】
前記直方体又は立方体の内部に設けた磁石が一つであり、前記球状体は、前記磁石を該球状体の中心高さ位置に維持させるように埋設されたバランス錘を更に有し、該バランス錘が前記磁石によって引力を及ぼされない材料により形成されていることが好ましい。
【０００７】
前記バランス錘は、前記球状体表面の他方側であって前記球状体の中心点を中心として前記磁石と点対称の位置に埋設され且つ前記磁石と同等質量を有する第１バランス錘を含むことが好ましい。
【０００８】
前記バランス錘は、前記球状体の表面に埋設されている第２バランス錘を更に含むことが好ましい。
【００１０】
【発明の実施の形態】
本発明に係る磁着式立体表示器の好ましい実施形態について以下に図１，２を参照して説明する。図１は、磁着式立体表示器の一実施形態であり、内部を仮想線で示す斜視図、図２は図１のＡ−Ａ断面を示す縦断面図である。
【００１１】
磁着式立体表示器１は、プラスチックにより形成した球状体２と、プラスチックにより形成するとともに球状体２を回転自在に収容した立体３と、球状体２の表面近傍に埋設された磁石４とを有する。なお、球状体２、及び立体３は、非磁性のプラスチックで形成されているが、プラスチック以外であっても磁力によって吸引され難い材料、例えば、アルミニウム、ステンレス等の強磁性を有しない材料によって形成することもできる。
【００１２】
立体３は、図示のような立方体として６面に記号、数字、文字等を表示することが好ましいが、直方体、六角柱、八角柱、その他、緩やかな凹曲面でなる６面体など、種々の形状を採用することができる。
【００１３】
立体３は、球状体２を回転自在に収容することができれば内部構造は特に限定されず、図示のように立方体の内部に球状体２が収まる球状空間を形成してもよいし、図示しないが、６つの板材を接続することにより６面立方体を形成してもよいし、或いは、球状体に当接支持する支持体を立体３内に設けて球状体２を支持する等しても良い。
【００１４】
球状体２は、図示の例では中実体であるが、軽量化のために中空体にしてもよい。中空体の場合は、さらなる軽量化のために球面に多数の通孔を形成することができ、中実体の場合は、球面に多数の凹部を形成する等しても良い。
【００１５】
球状体２の表面近傍に埋設される磁石４は、磁鉄鉱、永久磁石、或いはゴム磁石等の何れでも良いが、磁着式立体表示器１の複数個を隣接させて被磁着体である鉄製ボード（図示せず）に磁着した場合に、隣接する磁着式立体表示器１の磁石４間に働く引力又は斥力が、各々の磁石が鉄製ボードとの間に働く引力より小さくなる程度、即ち、隣り合う磁着式立体表示器１が磁石４の斥力によって離反せず或いは引力によって一方の磁着式立体表示器１を鉄製ボードから離すときに隣接する他方の磁着式立体表示器１が前記引力に引かれて鉄製ボードから落ちない程度の、大きさ、位置、磁力等に設計される。なお、磁石４の引力又は斥力は、それらの磁石の距離の二乗に反比例するから、磁石４と鉄製ボードとの距離が隣り合う磁着式立体表示器１の磁石４どうしの距離に比べて小さくなるように設計することで、隣り合う磁着式立体表示器１に働く力は被磁着体との吸引力よりも十分小さくすることができる。
【００１６】
なお、球状体２と立体３内壁との間の摩擦を小さくして球状体２が回転し易くなるように、立体３内に潤滑油等の液体を封入し、球状体２と立体３内壁との間に前記液体を介在させておくことが好ましい。
【００１７】
上記のような構成を有する磁着式立体表示器１によれば、球状体２が立体３内に回転自在に収容されているので、立体の何れの面を表示面として使用する場合であっても、球状体２が回転して磁石４が被磁着体である鉄製ボード等との間に引力を及ぼし、磁着させることができることに加えて、磁石４が球状体２の表面近傍に埋設されているので、磁石４と被磁着体との距離を狭める一方で、隣接配置した磁着式立体表示器１の磁石４との距離を離すこととなって、隣接しあう磁着式立体表示器１に働く磁力作用を小さくし、複数の表示器が隣り合う場合であっても互いに反発しあったり又は磁着しあうことを無くすことが出きる。
【００１８】
また、球状体２は、球状体２のほぼ中心高さ位置に磁石４を維持させるように埋設されたバランス錘を有することが好ましい。
【００１９】
前記バランス錘を構成する第１バランス錘５は、球状体２の中心点を中心として磁石４と点対称の位置に埋設されている。第１バランス錘５は、磁石４と同じ質量を有するものを用いる。このようなバランス錘を備えないと、磁石４は通常状態で球状体の鉛直下方位置に位置するため、被磁着体に磁着させるには重力に抗して磁石を球状体２のほぼ中心高さ位置まで持ち上げるだけの磁力が要求される。しかしながら、上記のような第１バランス錘５を備えておくことで、磁着式立体表示器１を被磁着体に磁着させるには、磁石４は球状体２の中心点を含む水平面内を回転するだけであり、重力に抗して回転する必要がなくなり、バランス錘を備えない場合に比べて小さい磁力或いは小さい磁石を用いることができる。
【００２１】
また、第１バランス錘５を備える場合又は備えない場合においても、磁石によって引力を及ぼされない材料により形成された第２バランス錘６を球状体２の表面近傍に付加し、球状体２のほぼ中心高さ位置に磁石４を維持させ得る。第１バランス錘５だけでも磁石４は球状体２の中心高さ位置に静止し得るが、静止するまでの時間を短縮させるためには、第２バランス錘６を付加することが有利である。なお、なお、第２バランス錘６は、図示の例では、磁石４及び第１バランス錘５と等距離の位置に一つだけ埋設されているが、これに限らず、複数個の第２バランス錘を埋設してバランスをとるようにしても良い。
【００２２】
【発明の効果】
以上の説明から明らかなように、本発明によれば、立体内に回転自在に収容した球状体の表面近傍に磁石を設けることによって、複数の磁着式立体表示器が隣り合う場合に隣り合う磁着式立体表示器同士が互いに反発又は磁着しない磁着式立体表示器が提供される。
【図面の簡単な説明】
【図１】本発明に係る磁着式立体表示器の一実施形態を示す斜視図である。
【図２】図１のＡ−Ａ縦断面図である。
【符号の説明】
１  磁着式立体表示器
２  球状体
３  立体
４  磁石
５  第１バランス錘
６  第２バランス錘
【図１】
0003709480.tif 000002
【図２】
0003709480.tif 000003